【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
改良した照会結果の伝達を容易にするシステムであって、
コンピュータ記憶媒体に格納されたコンピュータ実行可能コンポーネントを実行するプロセッサを含み、前記コンピュータ実行可能コンポーネントが、
インターフェース・コンポーネントであって、
データーに対応する照会を受信し、
照会されたデーターがオーディオまたはビデオのデーター項目の少なくとも１つを含むとき、前記オーディオまたはビデオのデーター項目の少なくとも１つを転記して前記データー項目内の前記照会の１つ以上の検索語の位置を検出する、
インターフェース・コンポーネントと、
前記照会に少なくとも部分的に基づいて、照会結果を表示する命令を送信する視覚コンポーネントであって、
前記照会結果が、１つ以上のデーター項目を特定し、かつ前記１つ以上のデーター項目の各々に対する検索語位置グラフィックを含み、
前記検索語位置グラフィックが、前記データー項目内における前記照会の少なくとも１つの検索語の出現の位置を特定し、
前記検索結果が単一のデーター項目を特定したとき、前記照会結果が、前記照会語位置グラフィックとともに表示され、前記検索語位置グラフィックが、複数の透明のスクロール・サムを有する垂直スクロールバーに統合され、
前記照会結果が複数のデーター項目を特定したとき、前記複数のデーター項目のうちの少なくとも２つが、前記対応する検索語位置グラフィックとともに表示され、各検索語位置グラフィックがスクロールバーまたはスライダの１つのもののエッジ間に表示される、
視覚コンポーネントと、
である、システム。
【請求項２】
請求項１記載のシステムにおいて、前記１つ以上のデーター項目は、電子書籍、書籍、電子書籍ファイル、電子雑誌、雑誌、電子雑誌ファイル、電子定期刊行物、電子定期刊行物ファイル、定期刊行物、一次元電子文書、一次元ファイル、電子文書、ウェブ・ページ、ウェブ・サイト、電子メール、オーディオ・ファイル、ビデオ・ファイル、ナビゲーションのためのスライダーを有するデーター、ナビゲーションのためのスクロール・バーを有するデーター、電子ファイル、ワープロ文書、テキスト文書、オーディオ・クリップ、ビデオ・クリップ、およびインスタント・メッセンジャ・メッセージのうちの１つ以上を含む、システム。
【請求項３】
請求項１記載のシステムであって、更に、前記対応するデーター項目内における少なくとも１つの検索語の出現の少なくとも１つのプロットを有する線グラフ・マップとして、少なくとも１つの検索語位置グラフィックを作成するデーター・ランク・グラフ・コンポーネントを含み、前記プロットは、ハッシュ、線、形状、色、フォント、垂直線、水平線、ドット、円、星、矢印、正方形、長方形、三角形、および線グラフ・マップ上で位置を示すグラフィックのうち少なくとも１つによって示される、システム。
【請求項４】
請求項１記載のシステムにおいて、少なくとも１つの検索語位置グラフィックは、前記対応するデーター項目全体に分散する少なくとも１つの項目と関連した位置を特定し、前記項目は、グラフィック、写真、数値、ヘッダ、フッタ、署名、ディジタル署名、すかし、メタデーター、文書プロパティ、フォーマット、ファイル・サイズ、インク注釈、音声注釈、コメント・バブル、画像のうち少なくとも１つである、システム。
【請求項５】
請求項１記載のシステムにおいて、少なくとも１つの検索語位置グラフィックは、検索語の出現頻度と関連付けた色の変動を利用し、暗い色が前記検索語の高出現頻度と相関し、明るい色が前記検索語の低出現頻度と相関する、システム。
【請求項６】
請求項１記載のシステムであって、更に、少なくとも１つの検索語位置グラフィックを、スライダー、スクロール・バー、および照会したデーターを少なくとも１つの方向でナビゲートするために利用するツールのうち少なくとも１つに組み込むスクロール・バー・コンポーネントを含む、システム。
【請求項７】
請求項６記載のシステムにおいて、前記スライダー、前記スクロール・バー、および前記ツールのうち少なくとも１つは、水平方位および垂直方位の少なくとも１つにおいて配置される、システム。
【請求項８】
請求項６記載のシステムにおいて、前記スクロール・バーに組み込まれた前記検索語位置グラフィックは、前記スライダーまたはスクロール・バーのうち少なくとも１つのものの中央区域内に埋め込まれる、システム。
【請求項９】
請求項８記載のシステムであって、前記照会結果が複数のデーター項目を特定したとき、各検索語位置グラフィックはスクロール・サムを含み、該スクロール・サムは、少なくとも部分的に透過性であるスクロール・サム、アルファ・レンダリングしたスクロール・サム、強調した輪郭を含むスクロール・サム、近隣内にあるカーソル上でアルファ・レンダリングを利用するスクロール・サム、および前記検索語位置グラフィックに関してスクロール位置を指定するために、より大きなスクロール・サムの中に別個の細い境界をもつ最小厚のスクロール・サム、のうち少なくとも１つである、システム。
【請求項１０】
請求項１記載のシステムであって、更に、前記対応するデーター項目内における前記検索語の位置を目立たせるために、少なくとも１つの検索語位置グラフィックを強調する強調コンポーネントを含み、前記目立たせることは、色、フォント、サイズ、太字、斜字体、下線、裏抜け、ハイライト、垂直線、水平線、ドット、円、星、色、矢印、正方形、長方形、三角形、形状、グラフ上の位置を示すグラフィック、および色の変動、に少なくとも部分的に基づく、システム。
【請求項１１】
請求項１記載のシステムであって、更に、前記データー項目に対応する前記検索語位置グラフィック上における相関位置の選択に少なくとも部分的に基づいて、前記照会結果により特定されたデーター項目内における位置へのナビゲーションを可能にするナビゲーション・コンポーネントを含む、システム。
【請求項１２】
請求項１記載のシステムであって、更に、前記照会結果により特定されたデーター項目に対応する前記検索語位置グラフィック上のある位置上におけるマウスおよびカーソルの位置の少なくとも１つの上に表示すべき、前記照会結果により特定されたデーター項目の一部を表示するホーバー・コンポーネントを含む、システム。
【請求項１３】
請求項１記載のシステムにおいて、少なくとも１つの検索語位置グラフィックは、検索語それぞれについて少なくとも１つの指示を含み、前記検索語位置グラフィックは、前記対応するデーター項目の始めから前記対応するデーター項目の終わりまで、前記対応するデーター項目内における前記検索語の位置を示す、システム。
【請求項１４】
照会結果にコンテキストを設け易くする、コンピューターにより実行される方法であって、
コンピュータ読み取り可能媒体に格納されたコンピュータ実行可能命令を実行するプロセッサを用いて動作を実行するステップを含み、前記動作が、
データーを目標とする１つ以上の照会検索語を受信する動作と、
前記データーが、オーディオまたはビデオのフォーマットを含む少なくとも１つのデーター項目を含むとき、前記オーディオまたはビデオのフォーマッティングを転記して、前記データー項目内における前記照会の前記１つ以上の検索語の位置を検出する動作と、
１つ以上のデーター項目を特定する照会結果を提供する動作と、
前記１つ以上のデーター項目の各々に対し検索語位置グラフを生成する動作であって、前記照会語位置グラフは、前記データー項目内における前記１つ以上の検索語の出現の位置を特定する、動作と、
前記検索結果が単一のデーター項目を特定したとき、前記照会結果を、前記照会語位置グラフとともに表示する命令を送信する動作であって、前記検索語位置グラフが、部分的に透明のスクロール・サムを有する垂直スクロール・バーに統合される、動作と、
前記照会結果が複数のデーター項目を特定したとき、前記複数のデーター項目のうちの少なくとも２つを、前記対応する検索語位置グラフとともに表示する命令を送信する動作であって、各検索語位置グラフがスクロール・バーまたはスライダの１つのもののエッジ間に表示される、動作と、
である、方法。
【請求項１５】
請求項１４記載の方法において、前記１つ以上のデーター項目は、電子書籍、書籍、電子書籍ファイル、電子雑誌、雑誌、電子雑誌ファイル、電子定期刊行物、電子定期刊行物ファイル、定期刊行物、一次元電子文書、一次元ファイル、電子文書、ウェブ・ページ、ウェブ・サイト、電子メール、オーディオ・ファイル、ビデオ・ファイル、ナビゲーションのためのスライダーを有するデーター、ナビゲーションのためのスクロール・バーを有するデーター、電子ファイル、ワープロ文書、テキスト文書、オーディオ・クリップ、ビデオ・クリップ、およびインスタント・メッセンジャ・メッセージのうちの１つ以上を含む、システム。
【請求項１６】
請求項１４記載の方法であって、前記垂直スクロール・バーと、前記スクロール・バーまたはスライダであってこれらのエッジ間に複数のデーター項目を特定する前記照会結果が表示される前記スクロール・バーまたはスライダとは、部分的に透明であって、前記垂直スクロール・バーまたは前記スクロール・バーあるいはスライダと通して前記データー項目内の検索語の位置の表示を可能にした、方法。
【請求項１７】
請求項１４記載の方法であって、更に、前記照会結果において特定された前記複数のデーター項目内における少なくとも１つの照会語の出現の少なくとも１つのプロットを有する線グラフ・マップとして、前記検索語位置グラフを作成するステップを含む、方法。
【請求項１８】
請求項１４記載の方法であって、前記垂直スクロール・バーに統合するステップは、前記スクロール・バーのサイド間に前記検索語位置グラフを埋め込むステップを含む、方法。
【請求項１９】
改良した照会結果を提供する方法を実行するためのコンピュータ実行可能命令を具体化した１つ以上のコンピュータ記憶媒体であって、前記方法が、
データーに関する照会を受信するステップであって、前記照会が１つ以上の検索語を含む、ステップと、
前記データーが、オーディオまたはビデオのフォーマットを含む少なくとも１つのデーター項目を含むとき、前記オーディオまたはビデオのフォーマッティングを転記して、前記データー項目内における前記照会の前記１つ以上の検索語の位置を検出するステップと、
前記照会に少なくとも部分的に基づいて照会結果を提供するステップであって、前記照会結果が１つ以上のデーター項目を特定する、ステップと、
前記１つ以上のデーター項目の各々に対し検索語位置グラフィックを生成するステップであって、前記照会語位置グラフィックは、前記データー項目内における前記１つ以上の検索語の出現の位置を特定する、ステップと、
前記検索結果が単一のデーター項目を特定したとき、前記照会結果を、前記照会語位置グラフィックとともに表示する命令を送信するステップであって、前記検索語位置グラフィックが、部分的に透明のスクロール・サムを有する垂直スクロール・バーに統合される、ステップと、
前記照会結果が複数のデーター項目を特定したとき、前記複数のデーター項目のうちの少なくとも２つを、前記対応する検索語位置グラフィックとともに表示する命令を送信するステップであって、各検索語位置グラフィックがスクロール・バーまたはスライダの１つのもののエッジ間に表示される、ステップと、
を含む、コンピュータ記憶媒体。